(57)【要約】【課題】中継端子台や配線を必要とせずに省スペースで容易な取り付けすることができるとともに、既存回路変更時には、配線作業を少なくすることができる信号変換アダプタ端子台を得る。【解決手段】信号変換アダプタ端子台は、配電盤用端子台に接続される外線ケーブルから入力される４ｍＡから２０ｍＡの電流の直流信号を１Ｖから５Ｖの電圧の直流信号に変換して出力する信号変換アダプタ端子台において、上記配電盤用端子台の各端子に固定される複数の接続片と、上記接続片の間に接続される信号変換器と、各上記接続片に接続されるとともに１Ｖから５Ｖの電圧の直流信号が流れる配線が接続される複数の端子と、を備える。【選択図】図１
2011141983.tif 000002
【特許請求の範囲】
【請求項１】
配電盤用端子台に接続される外線ケーブルから入力される４ｍＡから２０ｍＡの電流の直流信号を１Ｖから５Ｖの電圧の直流信号に変換して出力する信号変換アダプタ端子台において、
上記配電盤用端子台の各端子に固定される複数の接続片と、
上記接続片の間に接続される信号変換器と、
各上記接続片に接続されるとともに１Ｖから５Ｖの電圧の直流信号が流れる配線が接続される複数の端子と、
を備えることを特徴とする信号変換アダプタ端子台。
【請求項２】
上記信号変換器は、抵抗値２５０Ωの抵抗、コンデンサ、スイッチまたはコンセントからなることを特徴とする請求項１に記載の信号変換アダプタ端子台。
【請求項３】
１つの上記接続片、該接続片に一端が接続される上記信号変換器および１つの端子が配備される部分と、他の上記接続片および他の端子が配備される部分とに分割可能な本体を備え、
上記信号変換器の他端が上記他の接続片とスパイラル状線で接続されることを特徴とする請求項１に記載の信号変換アダプタ端子台。
【請求項４】
上記接続片は、上記配電盤用端子台の接続用端子ネジのネジ頭に係合するねじ頭接続爪が設けられることを特徴とする請求項１に記載の信号変換アダプタ端子台。
【発明の詳細な説明】
【技術分野】
【０００１】
この発明は、信号変換を要する回路に適用する信号変換アダプタ端子台に関するものである。
【背景技術】
【０００２】
従来、電流が４ｍＡ〜２０ｍＡの直流信号を電圧が１Ｖ〜５Ｖの直流信号に信号変換する回路では、電流が４ｍＡ〜２０ｍＡの直流信号が流れる外線ケーブルを２列の端子列が設けられた配電盤用端子台の一方の端子列に接続し、電圧が１Ｖ〜５Ｖの直流信号が流れる配線を２列の端子列が設けられた中継端子台の一方の端子列に接続し、中継端子台の他方の端子列に抵抗を取付け、その他方の端子列と配電盤用端子台の他方の端子列とを配線を介して接続している（例えば、特許文献１参照）。
【先行技術文献】
【特許文献】
【０００３】
【特許文献１】特開２００２−８７４８号公報
【発明の概要】
【発明が解決しようとする課題】
【０００４】
しかし、従来の信号変換する回路では、抵抗を有する信号変換部を中継端子台に取付けるために、信号変換器の取付けスペースや配電盤用端子台と接続する配線を配線するスペースを確保しなければならず、機器収納領域を広げる必要があるという問題がある。
また、既存回路を変更する場合において、中継端子台を設けることで、配線の張替え作業が必要となり、配線作業が増加するという間題がある。
また、抵抗の端子を絶縁物で覆って端子の感電保護および短絡保護する必要がある。
【０００５】
この発明は、前記のような課題を解決するためになされたものであり、中継端子台や配線を必要とせずに省スペースで容易な取り付けすることができるとともに、既存回路変更時には、配線作業を少なくすることができる信号変換アダプタ端子台を得ることを目的とする。
【課題を解決するための手段】
【０００６】
この発明に係る信号変換アダプタ端子台は、配電盤用端子台に接続される外線ケーブルから入力される４ｍＡから２０ｍＡの電流の直流信号を１Ｖから５Ｖの電圧の直流信号に変換して出力する信号変換アダプタ端子台において、上記配電盤用端子台の各端子に固定される複数の接続片と、上記接続片の間に接続される信号変換器と、各上記接続片に接続されるとともに１Ｖから５Ｖの電圧の直流信号が流れる配線が接続される複数の端子と、を備える。
【発明の効果】
【０００７】
この発明に係る信号変換アダプタ端子台は、端子台と信号変換器が直接取付けられた接続片が配電盤用端子台の端子に直接接続されているので、従来のような中継端子台や中継端子台と配電盤用端子台を接続する配線を不要とすることができるという効果を奏する。
【図面の簡単な説明】
【０００８】
【図１】この発明の実施の形態１に係る信号変換アダプタ端子台を配電盤用端子台に取付ける様子を説明するための図である。
【図２】図１の回路図である。
【図３】この発明の実施の形態２に係る信号変換アダプタ端子台の信号変換器の斜視図である。
【図４】この発明の実施の形態３に係る信号変換アダプタ端子台の斜視図である。
【図５】この発明の実施の形態４に係る信号変換アダプタ端子台の斜視図である。
【図６】図５の接続片の先端に設けられるねじ頭接続爪の断面図である。
【発明を実施するための形態】
【０００９】
以下、本発明の信号変換アダプタ端子台の好適な実施の形態につき図面を用いて説明する。
実施の形態１．
図１は、この発明の実施の形態１に係る信号変換アダプタ端子台を配電盤用端子台に取付ける様子を説明するための図である。図２は、図１の回路図である。
この発明の実施の形態１に係る信号変換アダプタ端子台１は、本体２と、配電盤用端子台７の２つの端子８に固定される２つの接続片３と、２つの接続片３の間に接続される信号変換器４と、各接続片３に接続されるとともに１Ｖから５Ｖの電圧の直流信号が流れる一対の配線５が接続される２つの端子６と、を備える。
【００１０】
なお、配電盤用端子台７は、複数の端子８が２列に配列されており、一方の列の端子８に入力される信号は他方の列の対応する端子８から出力される。図１の場合、１列目の第１の端子８ａと第２の端子８ｂに外線ケーブル９が接続され、４ｍＡから２０ｍＡの電流の直流信号が入力される。そして、２列目の第１の端子８ｃと第２の端子８ｄから４ｍＡから２０ｍＡの電流の直流信号が出力される。
【００１１】
本体２は、２段の階段状であり、１段目には接続片３が水平に配置され、２段目には図示しない導電板が水平に配置され、この間を図示しない連絡部材で接続されている。導電板には接続用端子ネジ１１が螺合される図示しない雌ねじが設けられている。
接続片３には、先端部に配電盤用端子台７の２列目の第１端子８ｃと第２端子８ｄの接続用端子ネジ１１が貫通する孔３ａが設けられている。
信号変換器４は、２つの接続片３の間に接続される抵抗値２５０Ωの抵抗１２からなる。
本体２の２段目の導電板には２つの接続用端子ネジ１１が螺合されている。なお、導電板と接続用端子ネジ１１により端子６が構成されている。
【００１２】
次に、信号変換アダプタ端子台１の使用方法を説明する。
配電盤用端子台７の端子８ｃ、８ｄの接続用端子ネジ１１を外し、接続片３の貫通孔３ａを配電盤用端子台７の端子８ｃ、８ｄのネジ穴に位置合わせし、接続用端子ネジ１１を貫通孔３ａとネジ穴に挿入し、ネジ締めして配電盤用端子台７の端子８ｃ、８ｄに接続片３を固定する。また、配線５を信号変換アダプタ端子台１の端子６に接続する。
【００１３】
次に、信号変換アダプタ端子台１の動作について説明する。
外線ケーブル９が接続されている配電盤用端子台７の１列目の第１の端子８ａと第２の端子８ｂの間に４ｍＡから２０ｍＡの電流の直流信号が入力され、配電盤用端子台７の２列目の第１の端子８ｃと第２の端子８ｄの間から４ｍＡから２０ｍＡの電流の直流信号が出力される。この配電盤用端子台７の２列目の第１の端子８ｃと第２の端子８ｄには接続片３が接続されているので、４ｍＡから２０ｍＡの電流の直流信号は抵抗１２を流れることにより、端子６間に１Ｖから５Ｖの電圧の直流信号が発生する。そして、１Ｖから５Ｖの電圧の直流信号が配線５から出力される。
【００１４】
この発明の実施の形態１に係る信号変換アダプタ端子台１は、端子６と信号変換器４が直接取付けられた接続片３が配電盤用端子台７の端子８に直接接続されているので、従来のような中継端子台や中継端子台と配電盤用端子台を接続する配線を不要とすることができる。
また、配電盤用端子台７の端子８と信号変換アダプタ端子台１の端子６は高さ方向に段差を設けており、配線５の接続方向は外線ケーブル９の方向へ配線することができ配線方向も統一することができ、省スペースで容易な取り付けを実現し、配線作業も少なくすることができる。
また、抵抗１２の導電部を信号変換アダプタ端子台１の中に取込んでいるので、導電部を絶縁物で保護する必要がなくなる。
【００１５】
実施の形態２．
図３は、この発明の実施の形態２に係る信号変換アダプタ端子台の信号変換器の斜視図である。
この発明の実施の形態２に係る信号変換アダプタ端子台１Ｂは、この発明の実施の形態１に係る信号変換アダプタ端子台１と信号変換器４Ｂが異なり、それ以外は同様であるので、同様な部分に同じ符号を付記し説明を省略する。
信号変換器４Ｂは、図３（ａ）に図示するように、接続片３の間にコンデンサ２１が接続されている。なお、接続片３の間に図３（ｂ）に示すようにスイッチ２２や図３（ｃ）に示すようにコンセント２３を搭載しても良い。
【００１６】
コンデンサ、スイッチやコンセントを通常取り付ける場合、取り付けスペースの確保と、配電盤用端子台７から配線が必要となるが、この発明の実施の形態２においては配電盤用端子台７へ直接接続することで、省スペースで容易な取り付けを実現し、配線作業を少なくすることができる。
また、信号変換器４Ｂにコンデンサ２１、スイッチ２２やコンセント２３を搭載することで、信号変換だけではなく、違う機能をもたせることができる。
【００１７】
実施の形態３．
図４は、この発明の実施の形態３に係る信号変換アダプタ端子台の斜視図である。
この発明の実施の形態３に係る信号変換アダプタ端子台１Ｃは、この発明の実施の形態１に係る信号変換アダプタ端子台１と本体２Ｃおよび接続片３と抵抗１２との接続が異なり、それ以外は同様であるので、同様な部分に同じ符号を付記し説明を省略する。
本体２Ｃは、２つに分割可能となっており、配電盤用端子台７の端子８のピッチが一体になった本体２の端子６のピッチと異なっているときには、本体２Ｃを２つに分割し、分割した本体２Ｃに固定される接続片３を配電盤用端子台７の端子８に固定する。
抵抗１２の一端は一方の接続片３に固定されているが、抵抗１２の他端は他方の接続片３とつながっていない。そして、抵抗１２の他端と他方の接続片３をスパイラル状線２５で接続する。
【００１８】
この発明の実施の形態３に係る信号変換アダプタ端子台１Ｃは、本体２Ｃを分割可能とし、分割した一方の本体２Ｃに支持された接続片３に固定された抵抗１２の他端をスパイラル状線２５で他方の接続片３に接続することで、接続先である配電盤用端子台７の端子８のピッチに限定されることなく、ピッチが異なる機器への接続ができ、適用を拡大することができる。
【００１９】
実施の形態４．
図５は、この発明の実施の形態４に係る信号変換アダプタ端子台の斜視図である。図６は、図５の接続片の先端に設けられるねじ頭接続爪の断面図である。
この発明の実施の形態４に係る信号変換アダプタ端子台１Ｄは、この発明の実施の形態１に係る信号変換アダプタ端子台１と接続片３Ｄが異なり、それ以外は同様であるので、同様な部分に同じ符号を付記し説明を省略する。
接続片３Ｄは、配電盤用端子台７の接続用端子ネジ１１の頭部に被せて押し下げると接続用端子ネジ１１の頭部を滑りながら拡がり、接続用端子ネジ１１の頭部の下端で縮むことで、接続片３Ｄを接続用端子ネジ１１に係止するねじ頭接続爪２７が設けられている。
【００２０】
上述の実施の形態１では、接続片３を配電盤用端子台７の端子８に接続するとき、接続用端子ネジ１１を一旦外してから接続片３の貫通孔３ａに接続用端子ネジ１１を通してから締め付けているが、この実施の形態４では、接続用端子ネジ１１を外す必要がなく、ねじ頭接続爪２７を接続用端子ネジ１１に押し込むだけで接続することができるので、配線作業の省力化・効率化を図ることができる。
【符号の説明】
【００２１】
１、１Ｂ、１Ｃ、１Ｄ  信号変換アダプタ端子台、２、２Ｃ  本体、３、３Ｄ  接続片、３ａ  貫通孔、４、４Ｂ  信号変換器、５  配線、６  端子、７  配電盤用端子台、８、８ａ、８ｂ、８ｃ、８ｄ  端子、９  外線ケーブル、１１  接続用端子ネジ、１２  抵抗、２１  コンデンサ、２２  スイッチ、２３  コンセント、２５  スパイラル状線、２７  ねじ頭接続爪。
【図１】
2011141983.tif 000003
【図２】
2011141983.tif 000004
【図３】
2011141983.tif 000005
【図４】
2011141983.tif 000006
【図５】
2011141983.tif 000007
【図６】
2011141983.tif 000008